(57)【要約】【課題】  転がり軸受の振動の問題を招来することなく、転がり軸受の回転トルクが低減されたデファレンシャルギヤ装置を提供する。【解決手段】  ピニオン軸４をケース２に対して回転自在に支持する転がり軸受８，９が取り付けられたディファレンシャル装置１である。このうち転がり軸受８の外輪８ｂの外径寸法Ｄをこの転がり軸受が装着されているピニオン軸４の径寸法ｄで除した数値が１．５〜２．０となるように当該転がり軸受を小型化し、小型化にともなう振動を制振部材１７で抑制した。【選択図】      図１
2006046520.tif 000002
【特許請求の範囲】
【請求項１】
ピニオン軸をケースに対して回転自在に支持する転がり軸受が取り付けられた車両用ピニオン軸支持装置であって、
前記転がり軸受の外輪の外径寸法をこの転がり軸受が装着されているピニオン軸の転がり軸受装着部の径寸法で除した数値が１．５〜２．０とされ、前記転がり軸受の振動を抑制する制振部材が前記ケース内に設けられていることを特徴とする車両用ピニオン軸支持装置。
【請求項２】
前記制振部材が、前記転がり軸受の外輪の外側を覆うように設けられていることを特徴とする請求項１に記載の車両用ピニオン軸支持装置。
【請求項３】
前記転がり軸受が、円錐ころ軸受である請求項１又は２に記載の車両用ピニオン軸支持装置。
【発明の詳細な説明】
【技術分野】
【０００１】
本発明は、自動車の駆動系等に用いられる車両用ピニオン軸支持装置に関する。
【背景技術】
【０００２】
従来のデファレンシャルギヤ装置（車両用ピニオン軸支持装置）は、デファレンシャルケース内に左右の車輪を差動連動する差動変速機構、ピニオンギヤ、ピニオン軸、ピニオン軸を回転可能に支持する転がり軸受が収納されている。ピニオンギヤは、差動変速機構のリングギアに噛合されており、ピニオン軸の内端部に一体成形されている。また、ピニオン軸は、背面合わせに配置した単列の円錐ころ軸受にてデファレンシャルケース内で支持されており、その外端部にはプロペラシャフト（図示せず）が連結されるフランジが設けられている。また、上記円錐ころ軸受は、デファレンシャルケースの一部に形成したデフキャリアの内周面に装着されている（例えば、特許文献１参照）。
このような従来のデファレンシャルギヤ装置にスラスト荷重が作用した場合、ピニオンギヤ側の転がり軸受には大きな摩擦抵抗が作用し、特に軽負荷で高速回転時に当該転がり軸受の回転トルクが大きくなる。そのため、デファレンシャルギヤ装置の効率が低下するという問題がある。したがって、転がり軸受の回転トルクを低減して、デファレンシャルギヤ装置の効率を向上することが要請されている。
【特許文献１】特開２００２−１６６６２７号公報（図５）
【発明の開示】
【発明が解決しようとする課題】
【０００３】
転がり軸受の回転トルクを低く抑えるためには、転がり軸受を小型化することが考えられるが、その一方で、転がり軸受を小型化すれば当該転がり軸受の剛性低下による振動の問題が発生するおそれがある。転がり軸受の振動は、車両に組み込まれている他部材と共鳴して異音が発生することや、場合によっては運転時の異常振動となって現れることがあるため、この異音や異常振動が発生しないように、ピニオンギヤの噛み合いを非常に厳しく管理すること等が要求される。このように、転がり軸受の回転トルクを低減しようとすると、転がり軸受の小型化に起因する振動が発生し、この振動を抑えなければならないという問題が生じていた。
本発明は、このような従来技術の問題点に鑑み、転がり軸受の振動の問題を招来することなく、転がり軸受の回転トルクが低減されたデファレンシャルギヤ装置やトランスファー装置等の車両用ピニオン軸支持装置を提供することを目的とする。
【課題を解決するための手段】
【０００４】
本発明は上記目的を達成するために次の技術的手段を講じた。
すなわち、本発明は、ピニオン軸をケースに対して回転自在に支持する転がり軸受が取り付けられた車両用ピニオン軸支持装置であって、前記転がり軸受の外輪の外径寸法をこの転がり軸受が装着されているピニオン軸の転がり軸受装着部の径寸法で除した数値が１．５〜２．０とされ、前記転がり軸受の振動を抑制する制振部材が前記ケース内に設けられていることを特徴とする。
上記の本発明によれば、転がり軸受の外輪の外径寸法をこの転がり軸受が装着されているピニオン軸の径寸法で除した数値が１．５〜２．０とされ、通常使用される転がり軸受よりも小型の転がり軸受とされているので、転がり軸受の回転トルクを低減することができ、デファレンシャルギヤ装置の効率が向上する。しかも、転がり軸受の振動を抑制する制振部材が設けられているので、小型化された転がり軸受の振動を当該制振部材によって抑えることができ、異音や運転時の異常振動の発生を抑制することができる。
【０００５】
また、前記制振部材が、前記転がり軸受の外輪の外側を覆うように設けられていることが好ましい。この場合、転がり軸受の振動を効果的に抑制することができ、異音や運転時の異常振動の発生を確実に抑えることができる。
さらに、前記転がり軸受が、例えば円錐ころ軸受である場合、玉軸受と比較して小型化によるトルク低減効果が大きくなり、装置効率の向上が顕著となる。
【発明の効果】
【０００６】
本発明によれば、転がり軸受を小型化するとともに制振部材を設けたので、転がり軸受の振動の問題を招来することなく、転がり軸受の回転トルクを低減することができる。
【発明を実施するための最良の形態】
【０００７】
以下、添付図面を参照しつつ、本発明の一実施の形態を説明する。
図１に示すように、車両用ピニオン軸支持装置の一種である本実施形態のデファレンシャルギヤ装置１は、外側をデファレンシャルケース２が覆っており、このデファレンシャルケース２内に、左右の車輪を差動連動する差動変速機構（図示せず）、ピニオンギヤ３、ピニオン軸４、このピニオン軸４をデファレンシャルケース２に対して回転自在に支持する軸方向に並んだ２つの転がり軸受８，９が収納されている。このうち、各転がり軸受は、デファレンシャルケース２に形成したデフキャリア５に装着されており、当該転がり軸受とデフキャリア５の間には制振部材１６，１７が介装されている。
【０００８】
上記ピニオンギヤ３は、差動変速機構のリングギヤ（図示せず）に噛合されており、ピニオン軸４の内端部に一体形成されている。ピニオン軸４の外端部にはプロペラシャフト（図示せず）が連結されるフランジ７が設けられており、当該ピニオン軸４は、ピニオンギヤ側の単列の円錐ころ軸受８、及びフランジ側の円錐ころ軸受９にて、デファレンシャルケース２に対して回転自在に支持されている。デファレンシャルケース２の一部にはデフキャリア５が設けられており、フランジ側のデフキャリア５ｆには上記円錐ころ軸受９が装着されており、ピニオンギヤ側のデフキャリア５ｐには上記円錐ころ軸受８が装着されている。
【０００９】
上記各円錐ころ軸受８，９は、内輪８ａ、９ａと外輪８ｂ、９ｂとの間に保持器によって転動自在に保持された複数の円錐台状のころを介装することにより、当該内輪８ａ、９ａと外輪８ｂ、９ｂとを相対回転させるものであり、当該内輪８ａ、９ａは、テーパ形状の外周面と円筒形状の内周面を有し、当該外輪８ｂ、９ｂは、円筒形状の外周面とテーパ形状の内周面とを有している。また、フランジ側の円錐ころ軸受９とピニオンギヤ側の円錐ころ軸受８との間には、軸受に予圧を加えるスペーサ１１が介装されている。なお、上記各転がり軸受は、ピニオン軸４の外端部にナット１２を螺合し、フランジ７に締結することで、ピニオンギヤ３とフランジ７との間のスペーサ１１により十分な予圧を付与して固定されている。デファレンシャルケース２内には、潤滑用のオイルが運転停止状態において所定のレベルにて貯留されている。オイルは、運転時にリングギヤの回転に伴って跳ね上げられ、オイル導入路（図示せず）を通って各転がり軸受に導かれ、さらにオイル還流路（図示せず）を通って戻される。なお、ピニオン軸４の外端部側の外周面にシール保護カップ１５が取付けられている。
【００１０】
ピニオン軸４のピニオンギヤ側（ヘッド側）の円錐ころ軸受装着部の径寸法ｄは、通常の場合φ３５ｍｍ〜φ５０ｍｍである。ここで、転がり軸受の大きさ（通常使用するものか、小型化したものか）を判断する尺度として、転がり軸受の外輪の外径寸法Ｄと前記ピニオン軸の径寸法ｄ（内輪の内径寸法）との比を用いる。回転トルクが十分に低減されるまで小型化された本発明に係る上記各転がり軸受の大きさは、Ｄ＝２．０ｄ以下か、好ましくはＤ＝１．９ｄ以下、より好ましくはＤ＝１．８ｄ以下である。一方、転がり軸受を小型化すると、これにともなって転がり軸受全体の剛性が低下するとともに、負荷容量（定格荷重）が小さくなり寿命も低下する。デファレンシャルギヤ装置として剛性が不足しないような転がり軸受の大きさは、Ｄ＝１．５ｄ以上か、好ましくはＤ＝１．６ｄ以上、より好ましくはＤ＝１．７ｄ、さらに好ましくはＤ＝１．８ｄ以上である。
【００１１】
小型化された転がり軸受を採用することで、当該転がり軸受の回転トルクを低減することができる。回転トルクを低減することができるので、デファレンシャルギヤ装置１の効率が向上し、これが搭載される自動車の燃費が向上する。なお、上記転がり軸受の小型化による回転トルクの低下率は最小でも１０％程度となり、デファレンシャルギヤ装置１の大幅な効率の向上を達成することができる。さらに、転がり軸受を小型化することにより、当該転がり軸受の重量が軽減されデファレンシャルギヤ装置１の軽量化効果も期待できる。転がり軸受の種類、寸法にもよるが、例えば通常使用されている転がり軸受の重量よりも、約４０％軽減することにより、デファレンシャルギヤ装置１の軽量化による自動車の燃費向上の効果も期待できる。
【００１２】
前記各転がり軸受は、デファレンシャルギヤ装置として振動が問題となる程度まで小型化されているため、本実施形態ではこの振動を制振部材で抑えている。図１に示すように各デフキャリア５ｆ、５ｐの内周部に環形状の制振部材がそれぞれ設けられている。このうちフランジ側の第１の制振部材１６は、円錐ころ軸受９の外輪９ｂの外側をほぼ覆うように取り付けられており、円錐ころ軸受９の外輪９ｂの外周面に嵌合された外周部１６ａと、円錐ころ軸受９の外輪９ｂの側面に当てられている側部１６ｂとからなっている。
【００１３】
一方、ピニオンギヤ側の第２の制振部材１７は、円錐ころ軸受８の外輪８ｂの外側を覆うようにして取り付けられており、円錐ころ軸受８の外輪８ｂのピニオンギヤ側端部からフランジ側端部にわたって当該外輪８ｂの外周面に嵌合された外周部１７ａと、当該外輪８ｂの側面に当てられた側部１７ｂとからなっている。なお、第１、第２の制振部材１６、１７は、例えばＦｅ−Ａｌ系合金、Ｆｅ−Ｃｒ系合金、Ｍｅ−Ｃｕ系合金、Ｆｅ−Ｃｒ−Ａｌ系合金、Ｎｉ−Ｔｉ系合金、Ｍｇ系合金等の制振合金からなるものを採用することができるが、これに限定するものではない。このように、各転がり軸受の外輪の外側を覆うようにして制振部材が取り付けられているので、転がり軸受に振動が生じる程度まで小型化しても、小型化に起因する振動の問題を当該制振部材で確実に抑えることができる。
【００１４】
上記各転がり軸受は、回転トルクが低減されている反面、小型化にともない前記負荷容量不足が生じるおそれがあるため、素材を特殊熱処理して軸受性能を上げている。例えば、各転がり軸受の軸受部材（外輪、内輪）の素材は浸炭鋼で構成されており、かつ、当該軸受部材の表面から５０μｍまでの深さの表層部のマトリックス中の炭素量が０．８重量％以上とされており、表面硬さがロックウエルＣ硬さで６３〜６７とされており、表面残留オーステナイト量が２０％以上２５％未満となっている。浸炭鋼としては、例えばＪＩＳＳＣｒ４２０材、ＳＡＥ５１２０材、ＳＡＥ４３２０材、またはＳＡＥ４３２２Ｓ材を使用することができる。
【００１５】
表面硬さをＨＲＣ６３〜６７に限定したのは、ＨＲＣ６３未満であると表面硬さが十分ではなく、異物が混入した場合に、軸受部品の表面に剥離起点となる異物による圧痕等の傷がつき易くなるとともに耐摩耗性が低下して軸受の寿命が短くなり、ＨＲＣ６７を越えると靭性が低下するからである。この表面硬さはＨＲＣ６４以上がより好ましい。さらに、表面残留オーステナイト量を２０％以上２５％未満と限定したのは、２０％未満であると靭性が低下するとともに亀裂進展速度が速くなって軸受の寿命が低下し、２５％以上になると軸受の寿命のばらつきの度合いが大きくなるとともに、表面硬さが低下するからである。表面残留オーステナイト量の上限値は２４．５％であることが好ましい。これにより、内輪及び外輪の強度が上がり、小型化された各転がり軸受の軌道輪としての寸法変化率、靭性、焼き付き時間等の軸受性能を向上させることができる。
【００１６】
なお、上記各転がり軸受部品（内輪、外輪等）は、たとえば次の方法で製造することができる。この製造方法は、浸炭鋼より所定の形状に形成された加工済軸受部品素材に浸炭焼入処理を施す工程と、予備焼戻し処理を施す工程と、サブゼロ処理を施す工程と、本焼戻し処理を施す工程とを含むものである。同製造方法において、予備焼戻し処理を、１１０〜１３０℃で１時間以上保持することにより行うのがよい。この処理温度が１１０℃よりも低温であれば不安定なオーストナイトが多くなり、後のサブゼロ処理工程で残留オーステナイトが分解し、最終的に表面残留オーステナイト量を２０％以上にできなくなる。
【００１７】
また、１３０℃よりも高温であれば残留オーステナイトが安定化し、後のサブゼロ処理工程において残留オーステナイトが分解しにくくなり、最終的に表面残留オーステナイト量を２５％未満とすることができなくなる。また、サブゼロ処理を、−５０〜−８０℃で１時間以上保持することにより行うのがよい。この処理温度が−５０℃よりも高温であれば残留オーステナイトが分解、減少しにくくなり、最終的に表面残留オーステナイト量を２５％未満にすることができなくなる。また、−８０℃よりも低温であれば残留オーステナイトが分解、減少し易くなり、最終的に表面残留オーステナイト量を２０％以上にすることができなくなる。また、本焼戻し処理を、１４０〜１７５℃に２時間以上保持することにより行うのがよい。この処理温度が１４０℃よりも低温であれば最終的な表面硬さがＨＲＣ６７を越えてしまって靭性が低下する。また、１７５℃よりも高温であれば最終的な表面硬さがＨＲＣ６３未満となり、傷が付き易くなるとともに耐摩耗性が低下する。
【００１８】
上述したように、本実施形態の転がり軸受は、小型化によって回転トルクが低減され、小型化に起因する振動を制振部材で抑制している。また、軸受性能を上記した浸炭鋼からなる素材で構成することで補うことにより、軸受性能を維持している。これにより、デファレンシャルギヤ装置１の効率の向上による自動車の燃費向上と同時に、異音や運転時の異常振動の問題を解消することができる。
【実施例】
【００１９】
以下に実施例を挙げて、本発明をより具体的に説明するが、勿論、本発明はこれに限定されるものではない。
図１において、ピニオンギヤ側（ヘッド側）の円錐ころ軸受８が嵌合している範囲におけるピニオン軸４の径寸法ｄ（すなわち、当該円錐ころ軸受８の内輪８ａの内径寸法）をφ３５ｍｍとし、当該円錐ころ軸受８は、外輪８ｂの外径寸法Ｄがφ６２ｍｍのものを使用した。この円錐ころ軸受８は、回転トルクが十分に低減されるまで小型化されたものであり、外輪８ｂの外径寸法Ｄ＝１．７７ｄである。
【００２０】
図２は、本実施例のピニオンギヤ側の円錐ころ軸受８の回転トルクと、比較例の円錐ころ軸受の回転トルクとの比較試験を行った結果を示している。ここでは、比較例の円錐ころ軸受として、外輪の外径寸法がφ８２、内輪の内径寸法がφ３５のものを用いており、外輪の外径寸法Ｄ＝２．３５ｄである。グラフから解るように、本実施例の小型の円錐ころ軸受８の回転トルクは、比較例の転がり軸受よりも、約２５％（比較例の円錐ころ軸受を基準として）低下している。このように、本実施例の小型化された円錐ころ軸受９は、比較例の円錐ころ軸受よりも回転トルクが顕著に低下している。なお、回転トルクは、回転トルク試験で測定した。なお、試験結果は示さないが、上記実施形態で用いられているフランジ側の円錐ころ軸受９も、同様の試験により低い回転トルクを示している。
【００２１】
図３は、上記回転トルクの試験に使用した円錐ころ軸受８の外輪８ｂに制振部材を取り付けた場合（実施例）の回転時に発生する音の大きさと、制振部材を取り付けていない場合（比較例）の回転時に発生する音の大きさの比較試験を行った結果を示している。この試験では、比較例として、外輪の外径寸法がφ７２、内輪の内径寸法がφ３５のものを用いており、外輪の外径寸法Ｄ＝２．０８ｄである。図３のグラフから、実施例（制振部材有り）の小型の円錐ころ軸受８から発生する音の大きさが、比較例（制振部材無し）の円錐ころ軸受の音の大きさよりも約４ｄＢ低いことから、当該円錐ころ軸受９の振動が低減されていることが解る。すなわち、制振部材を取り付けることにより、小型化された転がり軸受としながらも振動を通常レベル以下に低減することができる。なお、試験結果は示さないが、上記実施形態で用いられているフランジ側の円錐ころ軸受９も制振部材を取り付けることにより振動が低減されている。なお、転がり軸受の回転時に発生する音の大きさは、加振試験で行った。
【００２２】
図４〜図７は、第２〜第５実施形態のピニオンユニットを示している。これら各実施形態のピニオンユニットが上記第１実施形態と異なる点は、他の種類の転がり軸受を採用している点である。なお、以下の説明において上記第１実施形態と共通する部分の説明は省略する。図４に示すように、第２実施形態のピニオンユニット２０では、フランジ側の転がり軸受が円錐ころ軸受２１とされており、ピニオンギヤ側の転がり軸受が複列のアンギュラ玉軸受２２とされており、当該ピニオンギヤ側のアンギュラ玉軸受２２をピニオンギヤ側の玉群が径方向外側に位置したタンデム型としたものである。また、制振部材２３は、デフキャリア５ｆ、５ｐの内周部で、円錐ころ軸受２１の外輪２１ｂ及び複列のアンギュラ玉軸受２２の外輪２２ｂの外側をほぼ覆うように取り付けられている。また、各転がり軸受２１，２２は小型化されており、その外輪２１ｂ、２２ｂの外径Ｄ＝１．５〜２．０ｄ（ピニオン軸４の径）となっている。
【００２３】
この場合、大きなスラスト荷重が作用するピニオンギヤ側の転がり軸受を摩擦抵抗の小さいアンギュラ玉軸受２２としたことで、円錐ころ軸受に比べて回転トルクが小さくなり、ディファレンシャル装置１の効率が向上する。しかも、複列のアンギュラ玉軸受２２としたので、負荷容量が大きくなり、玉軸受を用いても十分な支持剛性が得られる。さらに、複列のアンギュラ玉軸受をピニオンギヤ側の玉群を残りの玉群より径方向外側に位置させたタンデム型としたことで、より大きなスラスト荷重が作用するピニオンギヤ側の玉群の玉数を増やすことができ、負荷容量をより一層大きくすることができる。それとともに、回転トルクが低減され、異音や運転時の異常振動の発生を抑制することができる。
【００２４】
図５に示すように、第３実施形態のピニオンユニット３０では、ピニオンギヤ側の転がり軸受が円筒ころ軸受３１とされており、フランジ側の転がり軸受が複列のアンギュラ玉軸受３２とされている。また、制振部材３３は、各デフキャリア５ｆ、５ｐの内周部で、円筒ころ軸受３１の外輪３１ｂ及び複列のアンギュラ玉軸受３２の外輪３２ｂの外側をほぼ覆うように取り付けられている。また、各転がり軸受３１，３２は小型化されており、その外輪３１ｂ、３２ｂの外径Ｄ＝１．５〜２．０ｄ（ピニオン軸の径）となっている。この場合、大きなラジアル荷重が作用するピニオンギヤ側の転がり軸受を円筒ころ軸受３１とし、かつ、フランジ側の転がり軸受を複列のアンギュラ玉軸受３２とし、円錐ころ軸受に比べてラジアル負荷能力の高い円筒ころ軸受３１でラジアル荷重を受けるので、ピニオンギヤ側の軸受をより小型化することができる。したがって、特にピニオンギヤ側のラジアル荷重が大きい設計のデファレンシャルギヤ装置３０の場合に効率が向上する。それとともに、回転トルクが低減され、異音や運転時の異常振動の発生を抑制することができる。
【００２５】
図６に示すように、第４実施形態のピニオンユニット４０では、ピニオンギヤ側の転がり軸受が円筒ころ軸受４１とアンギュラ玉軸受４２を軸心方向に並設してなり、フランジ側のアンギュラ玉軸受４３がピニオンギヤ側のアンギュラ玉軸受４２とで複列アンギュラ玉軸受を構成し、当該円筒ころ軸受４１がアンギュラ玉軸受４２よりピニオンギヤ側に配置されている。また、制振部材４４は、各デフキャリア５ｆ、５ｐの内周部で、円筒ころ軸受４１及びアンギュラ玉軸受４２の外輪４１ｂ、４２ｂ及びフランジ側のアンギュラ玉軸受４３の外輪４３ｂの外側をほぼ覆うように取り付けられている。また、ピニオンギヤ側の円筒ころ軸受４１とアンギュラ玉軸受４２は小型化されており、その外輪４１ｂ、４２ｂの外径Ｄ＝１．５〜２．０ｄ（ピニオン軸４の径）となっている。
【００２６】
この場合、大きなスラスト荷重が作用するピニオンギヤ側の転がり軸受を円筒ころ軸受４１とアンギュラ玉軸受４２を軸心方向に並設して構成し、フランジ側のアンギュラ玉軸受４２をピニオンギヤ側の転がり軸受のアンギュラ玉軸受４３とで複列アンギュラ玉軸受とし、円錐ころ軸受に比べて摩擦抵抗の小さい円筒ころ軸受４１ならびに複列のアンギュラ玉軸受４２，４３にて、ラジアル荷重ならびにアキシアル荷重を受けるので、円錐ころ軸受に比べて回転トルクが小さくなり、ディファレンシャル装置４０の効率が向上する。また、ピニオンギヤ側の転がり軸受において、円筒ころ軸受４１とアンギュラ玉軸受４３を軸心方向に並設してなる構成としたので、円筒ころ軸受４１にてラジアル荷重を受けることで、ラジアル荷重に対する負荷容量の小さいアンギュラ玉軸受４３にラジアル荷重が作用するのを防止できる。それとともに、回転トルクが低減され、異音や運転時の異常振動の発生を抑制することができる。
【００２７】
なお、上記各実施形態は例示であって、制限的なものではなく、上記実施形態以外の他の転がり軸受やこれら転がり軸受の配置を採用することもできる。また、上記各実施形態では、ピニオンギヤ側及びフランジ側のどちらの転がり軸受にも、制振部材を取り付けたが、ピニオンギヤ側あるいはフランジ側のどちらか一方のみに制振部材を取り付けるようにしてもよい。また、上記実施例では、デファレンシャルギヤ装置について示したが、本発明のピニオン軸支持装置は、同様のピニオン軸支持構造を有するトランスファー装置等、各種車両用ピニオン軸支持装置に適用することができる。
【図面の簡単な説明】
【００２８】
【図１】本発明のピニオンユニットの要部断面図である。
【図２】小型の転がり軸受及び通常サイズの転がり軸受の回転トルクの測定結果を示すグラフである。
【図３】小型の転がり軸受（制振部材有り）及び通常サイズの転がり軸受（制振部材無し）を回転させたときの音の大きさの測定結果を示すグラフである。
【図４】第２実施形態のピニオンユニットの要部断面図である。
【図５】第３実施形態のピニオンユニットの要部断面図である。
【図６】第４実施形態のピニオンユニットの要部断面図である。
【符号の説明】
【００２９】
１    デファレンシャルギヤ装置
２    デファレンシャルケース
３    ピニオンギヤ
４    ピニオン軸
５ｆ  デフキャリア（フランジ側）
５ｐ  デフキャリア（ピニオン側）
７    フランジ
８    円錐ころ軸受（ピニオン側）
９    円錐ころ軸受（フランジ側）
１０  アンギュラ玉軸受
１６，１７  制振部材
【図１】
2006046520.tif 000003
【図２】
2006046520.tif 000004
【図３】
2006046520.tif 000005
【図４】
2006046520.tif 000006
【図５】
2006046520.tif 000007
【図６】
2006046520.tif 000008